【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
第一被係止部を設けられた第１被係止ギアと第１噛合ギアとを備える第一遊星ギアユニットと、
第二被係止部を設けられた第２被係止ギアと前記第１噛合ギアと噛み合う第２噛合ギアとを備える第二遊星ギアユニットと、
前記第一被係止部を係止可能な第一係止部と、前記第二被係止部を係止可能な第二係止部と、を備え、回動することによって、前記第一係止部を前記第一被係止部に係止して前記第１被係止ギアを停止させる第１停止位置と、前記第二係止部を前記第二被係止部に係止して前記第２被係止ギアを停止させる第２停止位置とへ移動可能なストッパ部材と、
を有する駆動伝達装置において、
前記ストッパ部材が前記第１停止位置にある時に前記第一係止部が前記第一被係止部から受ける力のベクトルの延長線と前記ストッパ部材が前記第２停止位置にある時に前記第二係止部が前記第二被係止部から受ける力のベクトルの延長線との交点に前記ストッパ部材の回動支点が配置されていることを特徴とする駆動伝達装置。
【請求項２】
第一被係止部を設けられた第１被係止ギアと第１噛合ギアとを備える第一遊星ギアユニットと、
第二被係止部を設けられた第２被係止ギアと前記第１噛合ギアと噛み合う第２噛合ギアとを備える第二遊星ギアユニットと、
前記第一被係止部を係止可能な第一係止部と、前記第二被係止部を係止可能な第二係止部と、を備え、回動することによって、前記第一係止部を前記第一被係止部に係止して前記第１被係止ギアを停止させる第１停止位置と、前記第二係止部を前記第二被係止部に係止して前記第２被係止ギアを停止させる第２停止位置とへ移動可能なストッパ部材と、
を有する駆動伝達装置において、
前記第１被係止ギアと前記第２被係止ギアは、表裏を反転させずに両者を重ねた時に、互いに完全に重なり合う形状であることを特徴とする駆動伝達装置。
【請求項３】
第一被係止部を設けられた第１被係止ギアと第１噛合ギアとを備える第一遊星ギアユニットと、
第二被係止部を設けられた第２被係止ギアと前記第１噛合ギアと噛み合う第２噛合ギアとを備える第二遊星ギアユニットと、
前記第一被係止部を係止可能な第一係止部と、前記第二被係止部を係止可能な第二係止部と、を備え、回動することによって、前記第一係止部を前記第一被係止部に係止して前記第１被係止ギアを停止させる第１停止位置と、前記第二係止部を前記第二被係止部に係止して前記第２被係止ギアを停止させる第２停止位置とへ移動可能なストッパ部材と、
を有する駆動伝達装置において、
前記ストッパ部材が前記第１停止位置にある時に前記第一係止部が前記第一被係止部から受ける力のベクトルの逆方向のベクトルの延長線と前記ストッパ部材が前記第２停止位置にある時に前記第二係止部が前記第二被係止部から受ける力のベクトルの逆方向のベクトルの延長線との交点に前記ストッパ部材の回動支点が配置されていることを特徴とする駆動伝達装置。
【請求項４】
前記第１被係止ギアと前記第２被係止ギアとは同形の部材で、互いの回転軸線が実質的に平行で、且つ、前記互いの回転軸線方向に関して、同じ向きに配置されていることを特徴とする請求項１乃至３のいずれか一項に記載の駆動伝達装置。
【請求項５】
前記ストッパ部材が前記第２停止位置にある時の前記第１被係止ギアの回転方向と前記ストッパ部材が前記第１停止位置にある時の前記第２被係止ギアの回転方向は逆であることを特徴とする請求項１乃至４のいずれか一項に記載の駆動伝達装置。
【請求項６】
第一被係止部を設けられた第１被係止ギアと第１噛合ギアとを備える第一遊星ギアユニットと、
第二被係止部を設けられた第２被係止ギアと前記第１噛合ギアと噛み合う第２噛合ギアとを備える第二遊星ギアユニットと、
前記第一被係止部を係止可能な第一係止部と、前記第二被係止部を係止可能な第二係止部と、を備え、回動することによって、前記第一係止部を前記第一被係止部に係止して前記第１被係止ギアを停止させる第１停止位置と、前記第二係止部を前記第二被係止部に係止して前記第２被係止ギアを停止させる第２停止位置とへ移動可能なストッパ部材と、
を有する駆動伝達装置において、
前記ストッパ部材が前記第２停止位置にある時の前記第１被係止ギアの回転方向と前記ストッパ部材が前記第１停止位置にある時の前記第２被係止ギアの回転方向は逆であり、
前記第１被係止ギアと前記第２被係止ギアとは同形の部材で、互いの回転軸線が実質的に平行で、且つ、前記互いの回転軸線方向に関して、同じ向きに配置されていることを特徴とする駆動伝達装置。
【請求項７】
前記第一、第二被係止ギアは前記ストッパ部材と係合する爪部をそれぞれ備え、前記爪部のそれぞれは、前記第一、第二被係止ギアの回転中心と前記爪部の先端とを結ぶ直線を基準として対象な形状であることを特徴とする請求項１乃至６のいずれか一項に記載の駆動伝達装置。
【請求項８】
前記ストッパ部材を前記第１停止位置と前記第２停止位置との間で移動させるアクチュエータと、前記ストッパ部材を前記第１停止位置へ向かって移動する方向に付勢する付勢部材と、を有し、前記アクチュエータに通電すると、前記アクチュエータは前記ストッパ部材を前記付勢部材の付勢力に抗して前記第２停止位置へ移動させることを特徴とする請求項１乃至７のいずれか一項に記載の駆動伝達装置。
【請求項９】
被駆動ギアを有し、
前記第一、第二被係止ギアは前記第一、第二遊星ギアユニットの太陽ギアであり、前記第一、第二遊星ギアユニットは、それぞれ、前記第一、第二被係止ギアと噛み合う第一、第二遊星ギアと、前記第一、第二遊星ギアを前記第一、第二被係止ギアの周りに公転可能に軸支し、外周に第一、第二入力ギア部を有する第一、第二キャリアと、前記第一、第二遊星ギアと噛み合う第一、第二内歯ギア部及び前記被駆動ギアと噛み合う第一、第二出力ギア部を備える第一、第二内歯ギアと、を含み、
前記第一入力ギア部に駆動源からの駆動力が入力され、第一、第二入力ギア部が互いに噛み合い、
前記ストッパ部材で前記第一被係止部を係止した場合、前記第一前記出力ギアの回転力により、前記被駆動ギアを第一方向に回転させ、前記ストッパ部材で前記第二被係止部を係止した場合、前記第二前記出力ギアの回転力により、前記被駆動ギアを前記第一方向と逆の第二方向に回転させることを特徴とする請求項１乃至８のいずれか一項に記載の駆動伝達装置。
【請求項１０】
前記ストッパ部材の回動軸線方向から見た時の、前記第１被係止ギアの軸と前記第２被係止ギアの軸を結んだ直線に対して直交する方向において、
前記ストッパ部材の回動軸と、前記第一被係止部の前記第一係止部との噛み合い点と前記第二被係止部の前記第二係止部との噛み合い点とを結んだ直線と、前記第１被係止ギアの軸と前記第２被係止ギアの軸を結んだ前記直線と、がこの順に並んでいることを特徴とする請求項１乃至９のいずれか一項に記載の駆動伝達装置。
【請求項１１】
請求項１乃至請求項１０のいずれか一項に記載の駆動伝達装置と、
正又は逆回転してシートを一方向又は他方向に搬送する搬送部材と、
を有するシート搬送装置において、
駆動源からの駆動力を前記駆動伝達装置を介して前記搬送部材に伝達して回転させることを特徴とするシート搬送装置。
【請求項１２】
請求項１乃至請求項１０のいずれか一項に記載の駆動伝達装置と、
シートに画像を形成する画像形成部と、
正又は逆回転してシートを一方向又は他方向に搬送する搬送部材と、
を備える画像形成装置において、
駆動源からの駆動力を前記駆動伝達装置を介して前記搬送部材に伝達して回転させることを特徴とする画像形成装置。